(57)【要約】【課題】  ポップアップストロボユニットの構成部品点数削減と小型化、及びストロボ光のケラレ低減。【解決手段】  ガイド部を持つ固定部材と、発光部を保持しこのガイド部に係合しながら可動する第二の部材を備え、第二の部材に設けられる係合部は第一の部材に設けられるガイド部に複数箇所で当接しながら可動可能に備えられる。【選択図】  図１０
2009139726.tif 000002
【特許請求の範囲】
【請求項１】
ガイド部を有する第一の部材と、
ストロボ発光部を保持し前記第一の部材のガイド部に係合しながら可動する第二の部材と
から構成され、
前記第二の部材に備えられる係合部は
前記第一の部材に備えられるガイド部に複数箇所で当接しながら可動可能に設けられること
を特徴とするストロボ装置。
【請求項２】
前記第一の部材に設けられるガイド部は円弧形状であり、
前記第二の部材に設けられる係合部は複数個の円柱形状であること
を特徴とする請求項１に記載のストロボ装置。
【請求項３】
前記第一の部材には、
可動する前記第二の部材の開閉状態を検知するスイッチが設置され、
該第二の部材に設けられる係合部は、
該第一の部材に設置されたスイッチを押圧すること
を特徴とする請求項１に記載のストロボ装置。
【請求項４】
可動する前記第二の部材の 開状態と閉状態のそれぞれの状態に於いて、
該第二の部材を開き方向と閉じ方向にそれぞれ付勢する付勢部材を備えること
を特徴とする請求項１に記載のストロボ装置。
【発明の詳細な説明】
【技術分野】
【０００１】
本発明はカメラ等の電子機器に備えられ、電子機器本体に対する収納位置と起立位置の間を移動可能に設けられているストロボ装置に関するものである。
【背景技術】
【０００２】
従来カメラ等の電子機器において、電子機器本体に対する収納位置と起立位置の間を移動可能に備えられているストロボ装置、所謂ポップアップストロボが知られている。
【０００３】
一般的にポップアップストロボは、電子機器本体のサイズ的制約により発光部がレンズ鏡筒に近い場合にレンズ鏡筒関連の部位(固定筒、可動筒、レンズフード、コンバージョンレンズなど)によるストロボ光のケラレを回避する為に設置される。
【０００４】
しかしポップアップタイプのストロボは、その機構を設ける為に 電子機器本体を大型化させてしまう問題や、ストロボ光のケラレを十分に回避する位置まで発光部ユニットを移動させようとするとストロボ装置を本体に収納した状態で電子機器本体から突出してしまいデザイン性を損ねてしまうといった問題があった。
【０００５】
上記背景を顧み 例えば特許文献１では、
ストロボ機構の構成要素として第一の回動部と第二の回動部を備え、この第一の回動部でカメラ本体に対して回動自在に軸支される支持部と第二の回動部で支持部に対して回動自在に側面が軸支される発光部ユニットを備え、更にこの発光部ユニットがカメラ本体に対して収納状態にある時に 前出の第一、第二の回動軸がそれぞれ支持部材の前後にくるような設計構成をとっている。
【０００６】
これにより、他の従来技術（特許文献２、特許文献３）と比較してカメラ全体の小型化を図ると共に 発光部ユニットを第二の位置に突出させた際に上方だけでなく前方にも移動させる構成としているのでカメラ本体の前方中央にある鏡筒等の部材により出射光が乱反射されること(ストロボ光のケラレ)を最小限に抑える、
というものである。
【特許文献１】特開２００４−１５１６８４公報
【特許文献２】特開平１１-３２７００８号公報
【特許文献３】特開平１０-２２８０５０号公報
【発明の開示】
【発明が解決しようとする課題】
【０００７】
しかしながら、上記従来例ではカメラ本体側に備えられた固定部材と発光部ユニットを保持する可動部材を中継部材で支持する構成である為、従来技術（特許文献２、特許文献３）と比較し部品点数の削減と小型化を図っているものの、上記中継部材により固定部材と可動部材の角度規制が行われる為、可動部材が起立した状態での設計所望の位置からのズレが大きくなってしまうという問題がある。
【０００８】
また、上記中継部材は該発明内の実施例構成から金属部品である事が想定されるが、上記角度規制を行う部位の寸法精度が不安定であるというリスクや静電気対策によるアース板等の部品追加のリスクも存在する。
【課題を解決するための手段】
【０００９】
そこで上記従来技術を顧み、本発明は以下の手段を講じている。
【００１０】
即ち本発明では、
ガイド部を有する第一の部材と、
ストロボ発光部を保持し 前記第一の部材のガイド部に係合しながら可動する第二の部材と、
から構成され、
前記第二の部材に備えられる係合部は、
前記第一の部材に備えられるガイド部に複数箇所で当接しながら可動可能に設けられること、
を特徴とするストロボ装置、
を提供する。        
また、本発明に係るストロボ装置に於いて、
前記第一の部材に設けられるガイド部は 円弧形状であり、
前記第二の部材に設けられる係合部は複数個の円柱形状であること、
を特徴とする。
【００１１】
また、本発明に係るストロボ装置に於いて、
前記第一の部材には、
可動する前記第二の部材の開閉状態を検知するスイッチが設置され、
該第二の部材に設けられる係合部は、
該第一の部材に設置されたスイッチを押圧すること、
を特徴とする。
【００１２】
また、本発明に係るストロボ装置に於いて、
可動する前記第二の部材の開状態と閉状態のそれぞれの状態に於いて、
該第二の部材を開き方向と閉じ方向にそれぞれ付勢する付勢部材を備えること、
を特徴とする。
【発明の効果】
【００１３】
以上説明したように本発明によれば、
カメラ等の電子機器に備えられ、電子機器本体に対する収納位置と起立位置の間を移動可能に設けられているストロボ装置において、
ガイド部を有する第一の部材と、
ストロボ発光部を保持し前記第一の部材のガイド部に係合しながら可動する第二の部材と、
から構成され、
前記第二の部材に備えられる係合部は、
前記第一の部材に備えられるガイド部に複数箇所で当接しながら可動可能に設けられること、
を特徴とするストロボ装置を提供するので、
前記従来例のような２軸可動型という構成をとらずに発光部ユニット(第二の部材)を電子機器本体の上方及び前方に可動させることができる。即ち該従来例のようなカメラ本体側の固定部材と発光部ユニットを保持する可動部材を中継する支持部材と該支持部材と連結される固定部材・可動部材を支持する回動支持部材(シャフト等)を必要としないので、部品点数を大きく削減できる。
【００１４】
また該従来例のように、中継部材(支持部材)により固定部材と可動部材の角度規制が行われる構成ではなく可動部材の角度規制を固定部材によってダイレクトに行う構成である為、可動部材が起立した状態での可動部材即ち発光部ユニットの設計所望の位置からのズレを低減することができる。
【発明を実施するための最良の形態】
【００１５】
次に、本発明の詳細を実施例の記述に従って説明する。
【実施例１】
【００１６】
以下、添付図に従って本発明に係る電子機器用ストロボ装置の好ましい実施の形態について詳説する。
【００１７】
図１は、本発明を適用したデジタルカメラの実施例におけるカメラ本体の正面図、
図２は、本発明を適用したデジタルカメラの実施例におけるカメラ本体の上面図、
図３は、本発明を適用したデジタルカメラの実施例におけるカメラ本体の背面側斜視図、
図４は、本発明を適用したデジタルカメラの実施例におけるカメラ本体の正面側斜視図、
である。
【００１８】
１０１は撮影光学系を構成している鏡筒、１０２はＡＦ補助光窓、１０３は前カバー、１０４はデジタルカメラ本体を把持する為に備えられたグリップ部である。
【００１９】
１０５はストロボユニットであり、デジタルカメラ本体に対して収納位置と起立位置の間を移動可能に備えられている。尚、図１〜図４中においては本ストロボユニットは収納位置にあり 使用時においては非図示の起立位置まで移動する。
【００２０】
１０６は前カバー１０３に備えられたマイク穴、１０８は、撮影準備及び撮影開始機能を備えた操作部材である所謂レリーズボタン、１０７は光学式変倍機能或いはデジタル式変倍機能において、その倍率を調節操作する為のズームレバーであり、レリーズボタン１０８の中心に対し左右に回動可能である。
【００２１】
１１０は各種撮影モードを設定する為のモードダイヤル、１１１はカメラ本体の電源のON/OFFを行うパワーボタン、１１２はストラップ紐を通す為の孔を備えたストラップリングである。
【００２２】
１１３は被写体像を観察する為の電子ビューファインダであり、１１４はカメラ本体に対して非図示の２軸に対して回動可能に備えられている液晶表示装置である。図３においては液晶表示装置１１４が カメラ本体に対して収納された状態である。
【００２３】
１１５は後カバー、１１６は記録媒体の挿抜の際に開閉するメディア蓋であり本実施例ではカメラ本体に対して光軸方向にスライド可能な構成となっている。
【００２４】
１１７は撮影条件等の各種設定の際に使用する操作ボタン類、１１８は一次電池・二次電池等の電源供給装置を挿抜する際に開閉する電池蓋であり、本実施例では前記メディア蓋と同じくカメラ本体に対して光軸方向にスライド可能な構成となっている。
【００２５】
図５は、本発明を適用したデジタルカメラのストロボユニットの実施例におけるストロボユニットの右斜視図(収納状態)、
図６は、本発明を適用したデジタルカメラのストロボユニットの実施例におけるストロボユニットの左斜視図(収納状態)、
図７は、本発明を適用したデジタルカメラのストロボユニットの実施例におけるストロボユニットの右側面図(収納状態)、
図８は、本発明を適用したデジタルカメラのストロボユニットの実施例における
開閉検知スイッチのON/OFF状態を示す詳細図、
図９は、本発明を適用したデジタルカメラのストロボユニットの実施例におけるストロボユニットの右斜視図(起立状態)、
図１０は、本発明を適用したデジタルカメラのストロボユニットの実施例におけるストロボユニットの左斜視図(起立状態)、
図１１は、本発明を適用したデジタルカメラのストロボユニットの実施例におけるストロボユニットの右側面図(起立状態)、
図１２は、本発明を適用したデジタルカメラのストロボユニットの実施例におけるストロボユニットの右側面図(拡大図：起立状態)、
図１３は、本発明を適用したデジタルカメラのストロボユニットの実施例におけるストロボユニットの分解斜視図、
である。
【００２６】
２０１はガイド部を有する固定部材(本請求項に於ける第一の部材)、２０２はストロボ発光部を保持し固定部材(第一の部材)のガイド部に係合しながら可動する部材(本請求項に於ける第二の部材)、２０３は可動部材２０２の上方から取り付けられる外観部品であるカバー部材、２０４は非図示のストロボ発光管から出射した光を導光・拡散する為のフレネルレンズであり可動部材２０２に取り付けられている。
【００２７】
２０１-ａは固定部材２０１に備えられているガイド部であり、本請求項２に記載の如く略円弧形状となっている。２０２-ａは可動部材２０２に備えられている係合部であり、前記ガイド部２０１-ａに係合しながらガイド部の軌跡に沿って収納位置から起立位置の間を移動していく。尚、本実施例では請求項２に記載の如く２個(複数個)の円柱形状により係合部２０２-ａを形成している。
【００２８】
これにより、可動部材２０２の各ポジションに於ける 収納位置からの回動角度が一意的に決定され起立位置での回動角度も所望の角度に規制される。
【００２９】
固定部材２０１に対する可動部材２０２のカメラ上方及び前方への移動量、並びに起立位置での可動部材２０２の収納位置からの回動角度は、前記固定部材２０１側のガイド部２０１-ａの形状と前記可動部材２０２の係合部２０２-ａの形状をそれぞれ調整することにより 製品構成に合わせた自在な設定が可能となる。
【００３０】
２０６は可動部材２０２を開き状態と閉じ状態のそれぞれに於いて 開き方向と閉じ方向に付勢する為の付勢部材であり、本発明ではトーションバネを用いている。付勢部材２０６の固定側の腕部は、固定部材２０１に設けられている軸部２０１-ｂに設置され、付勢部材２０６の可動側の腕部は可動部材２０２に取り付けられる段ビス等の保持部材２０５に設置される構成をとっている。尚、本実施例では付勢部材２０６の可動側の腕部を前記軸部材２０５に設置する構成をとったが、この軸部形状を可動部材２０２に持たせても良い。
【００３１】
３０１は可動部材２０２内に設けられるトリガーコイルであり、反射傘３０２に対し瞬間的に大電圧を供給することにより非図示のストロボ発光管がストロボ光を出射する。
【００３２】
可動部材２０２内には、可動部材２０２の内部に取り付けられているストロボ発光管、反射傘、トリガーコイル等を電気的に接続する非図示のハーネス類(リード線等)が備えられており、可動部材側の開口部２０２-ｂから固定部材側に設けられた開口部２０１-ｃを通ってカメラ本体に取り付けられる硬質プリント基板或いはフレキシブルプリント基板に接続される。固定部材側の開口部２０１-ｃは前記ハーネス類(リード線等)の移動時の軌跡に従い 本実施例の如き開口形状としている。
【００３３】
尚、本実施例では可動部材２０２内の各部品とカメラ本体側への電気的接続をハーネス類により行うものとしたがフレキシブルプリント基板を用いてカメラ本体への電気的接続を行っても良い。
【００３４】
また、本実施例のように固定部材側の開口部２０１-ｃと可動部材側の開口部２０２-ｂを構成することにより、可動部材が起立位置まで移動した状態に於いて前記ハーネス類(リード線等)或いはフレキシブルプリント基板がユーザーの見える位置に露出することがなく、良好な外観品位を保つことができる。
【００３５】
４０1は可動部材２０２が起立位置に達したことを検知するスイッチであり、非図示のフレキシブルプリント基板或いは硬質プリント基板に実装されている。更にこのフレキシブルプリント基板或いは硬質プリント基板は 固定部材２０１に対し位置決めされる構成をとっている。
【００３６】
可動部材２０２が収納位置にある時 検知スイッチ４０１はＯＦＦ状態にあり、可動部材２０２が起立位置に達すると可動部材の係合部２０２-ａがスイッチ４０１を押圧し、ＯＮ状態となる。
【００３７】
以上添付図に従って、本発明に係る電子機器用ストロボ装置の実施例としてデジタルカメラを挙げて説明した。
【００３８】
尚本発明に係る実施例ではデジタルカメラを挙げたが、本発明の適用はこれに限定されるものではなく、ビデオカメラ、一眼レフカメラ等 種々の形態の電子機器に対しても適用できるものである。
【図面の簡単な説明】
【００３９】
【図１】本発明を適用したデジタルカメラの実施例におけるカメラ本体の正面図。
【図２】本発明を適用したデジタルカメラの実施例におけるカメラ本体の上面図。
【図３】本発明を適用したデジタルカメラの実施例におけるカメラ本体の背面側斜視図。
【図４】本発明を適用したデジタルカメラの実施例におけるカメラ本体の正面側斜視図。
【図５】本発明を適用したデジタルカメラのストロボユニットの実施例におけるストロボユニットの右斜視図(収納状態)。
【図６】本発明を適用したデジタルカメラのストロボユニットの実施例におけるストロボユニットの左斜視図(収納状態)。
【図７】本発明を適用したデジタルカメラのストロボユニットの実施例におけるストロボユニットの右側面図(収納状態)。
【図８】本発明を適用したデジタルカメラのストロボユニットの実施例における開閉検知スイッチのON/OFF状態を示す詳細図。
【図９】本発明を適用したデジタルカメラのストロボユニットの実施例におけるストロボユニットの右斜視図(起立状態)。
【図１０】本発明を適用したデジタルカメラのストロボユニットの実施例におけるストロボユニットの左斜視図(起立状態)。
【図１１】本発明を適用したデジタルカメラのストロボユニットの実施例におけるストロボユニットの右側面図(起立状態)。
【図１２】本発明を適用したデジタルカメラのストロボユニットの実施例におけるストロボユニットの右側面図(拡大図：起立状態)。
【図１３】本発明を適用したデジタルカメラのストロボユニットの実施例におけるストロボユニットの分解斜視図。
【符号の説明】
【００４０】
１０１  レンズ鏡筒
１０２  ＡＦ補助光窓
１０３  前カバー
１０４  グリップ部
１０５  ストロボユニット
１０６  マイク穴
１０７  ズームレバー
１０８  レリーズボタン
１１０  モードダイヤル
１１１  パワーボタン
１１２  ストラップ穴
１１３  電子ビューファインダ
１１４  液晶表示装置
１１５  後カバー
１１６  メディア蓋
１１７  操作ボタン
１１８  電池蓋
２０１  固定部材(第一の部材)
２０１-ａ  ガイド部
２０１-ｂ  軸部
２０１-ｃ  開口部
２０２  可動部材(第二の部材)
２０２-ａ  係合部
２０２-ｂ  開口部
２０３  カバー部材
２０４  フレネルレンズ
２０５  保持部材
２０６  付勢部材
２０７  保持部材
３０２  反射傘
４０１  開閉検知スイッチ
【図１】
2009139726.tif 000003
【図２】
2009139726.tif 000004
【図３】
2009139726.tif 000005
【図４】
2009139726.tif 000006
【図５】
2009139726.tif 000007
【図６】
2009139726.tif 000008
【図７】
2009139726.tif 000009
【図８】
2009139726.tif 000010
【図９】
2009139726.tif 000011
【図１０】
2009139726.tif 000012
【図１１】
2009139726.tif 000013
【図１２】
2009139726.tif 000014
【図１３】
2009139726.tif 000015